(57)【要約】記録媒体の複写防止情報管理方法に関する。ＣＤ、ＤＶＤ、またはＢＤなどのような光ディスクのデータ領域に暗号化して記録されたＡ／Ｖデータを復号化するための複写防止情報をキーロッカー（Ｋｅｙ  Ｌｏｃｋｅｒ）内に記録して、前記複写防止情報を読み出すための第１キー値を光ディスクの特定領域に記録して、前記複写防止情報を読み出すための第２キー値を光ディスクドライブまたはアプリケーション内で管理する。光ディスクのＡ／Ｖデータを再生する場合、光ディスクに記録されたヒドン・コードと光ディスクドライブまたはアプリケーション内で管理されるドライブキーまたはアプリケーションキーの組合により、前記キーロッカー内に記録された複写防止情報を読み出して復号化する。したがって、複写防止情報に対する保安性をさらに向上させることができるようになる。
2006526244.tif 000002
【特許請求の範囲】
【請求項１】
記録媒体の複写防止情報管理方法において、
記録媒体のデータ領域に暗号化して記録されたデータを復号化するための複写防止情報を第１特定領域に記録して；そして、
前記複写防止情報を復号化するための第１キーを前記記録媒体の第２特定領域に記録することで構成されて、
ここで、前記複写防止情報を復号化するための第２キーは記録媒体を再生するドライブまたはアプリケーション内で管理されることを特徴とする記録媒体の複写防止情報管理方法。
【請求項２】
前記複写防止情報は前記第１キーと第２キーの組合により復号化されることを特徴とする、請求項１に記載の記録媒体の複写防止情報管理方法。
【請求項３】
前記第２キーは前記ドライブを製造したメーカー別固有のＩＤによって区分される固有のキーであることを特徴とする、請求項１に記載の記録媒体の複写防止情報管理方法。
【請求項４】
前記複写防止情報は暗号化して記録される記録媒体キーであることを特徴とする、請求項１に記載の記録媒体の複写防止情報管理方法。
【請求項５】
前記第１キーはビット対ビット複写方式により複製されない低周波成分を有するウォーブル形状のヒドン・コードであることを特徴とする、請求項１に記載の記録媒体の複写防止情報管理方法。
【請求項６】
複写防止情報により暗号化したデータが記録されるデータ領域と；
前記複写防止情報が記録される第１特定領域；及び
前記複写防止情報を復号化するための第１キーが記録される第２特定領域で構成されることを特徴とする記録媒体。
【請求項７】
前記複写防止情報は前記記録媒体のデータ領域に暗号化して記録されたデータを復号化するための記録媒体キーであって、暗号化して記録されることを特徴とする、請求項７に記載の記録媒体。
【請求項８】
前記第１キーはビット対ビット複写方式により複製されない低周波成分を有するウォーブル形状のヒドン・コードであることを特徴とする、請求項６に記載の記録媒体。
【請求項９】
前記複写防止情報は、前記第１キーと、前記記録媒体を再生するドライブまたはアプリケーション内で管理される第２キーとの組合により復号化されることを特徴とする、請求項６に記載の記録媒体。
【請求項１０】
記録媒体の第２特定領域から読み出される第１キーと前記記録媒体を再生するドライブまたはアプリケーション内で管理される第２キーを利用して、前記記録媒体の第１特定領域に記録された複写防止情報を復号化する段階；及び
前記復号化された複写防止情報を利用して、前記記録媒体のデータ領域に暗号化して記録されたデータを復号化する段階で構成されることを特徴とする記録媒体の複写防止情報管理方法。
【請求項１１】
前記第１キーはビット対ビット複写方式により複製されない低周波成分を有するウォーブル形状のヒドン・コードであることを特徴とする、請求項１０に記載の記録媒体の複写防止情報管理方法。
【請求項１２】
前記第２キーは前記ドライブを製造したメーカー別固有のＩＤによって区分される固有のキーであることを特徴とする、請求項１０に記載の記録媒体の複写防止情報管理方法。
【請求項１３】
前記複写防止情報は前記記録媒体のキーロッカー内に暗号化して記録されたディスクキーであることを特徴とする、請求項１０に記載の記録媒体の複写防止情報管理方法。
【請求項１４】
前記復号化されたデータをデコーディングして出力する段階をさらに含んで構成されることを特徴とする、請求項１０に記載の記録媒体の複写防止情報管理方法。
【請求項１５】
前記記録媒体の第１特定領域で読み出される複写防止情報を復号化するために必要な第２キーを生成する第２キー生成部；及び
前記第２キーと前記記録媒体の第２特定領域で読み出される第１キーを利用して、前記複写防止情報を復号化する複写防止情報算出部を含んで構成されることを特徴とする記録媒体の複写防止情報管理装置。
【請求項１６】
前記複写防止情報算出部は、
前記第１キーと第２キーを利用して、前記複写防止情報を復号化するのに必要な有効キーを作る有効キー生成部；及び
前記有効キーを利用して、前記複写防止情報を復号化する複写防止情報復号化部で構成されることを特徴とする、請求項１５に記載の記録媒体の複写防止情報管理装置。
【請求項１７】
前記第２キーは、前記装置が含まれる、記録媒体を再生するドライブを製造したメーカー別固有のＩＤによって区分される固有のキーであることを特徴とする、請求項１５に記載の記録媒体の複写防止情報管理装置。
【請求項１８】
前記第２キーは、保安認証チャネルを介して連結されたアプリケーション内で管理するアプリケーションキーであることを特徴とする、請求項１５に記載の記録媒体の複写防止情報管理装置。
【請求項１９】
前記復号化された複写防止情報を利用して、前記記録媒体のデータ領域から読み出されるデータを復号化するデータ復号化部をさらに含んで構成されることを特徴とする、請求項１５に記載の記録媒体の複写防止情報管理装置。
【請求項２０】
前記復号化されたデータをデコーディングして、前記デコーディングされたデータを保安認証チャネルを介してアプリケーションで出力するデコーダーをさらに含んで構成されることを特徴とする、請求項１９に記載の記録媒体の複写防止情報管理装置。
【請求項２１】
前記第２キーは、前記装置が含まれる、前記記録媒体を再生するドライブを製造したメーカー別固有のＩＤによって区分される固有のキーであることを特徴とする、請求項２０に記載の記録媒体の複写防止情報管理装置。
【発明の詳細な説明】
【技術分野】
【０００１】
本発明は記録媒体の複写防止情報管理方法に係り、さらに詳細にはＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）またはＢＤ（Ｂｌｕ−ｒａｙ  Ｄｉｓｃ）等のような光ディスクのデータ領域に暗号化して記録されたＡ／Ｖデータを復号化するための複写防止情報（Ｃｏｐｙ  Ｐｒｏｔｅｃｔｉｏｎ  Ｉｎｆｏｒｍａｔｉｏｎ）の保安性を向上させるための方法に関する。
【背景技術】
【０００２】
一般的にデジタルビデオ及びオーディオデータを記録することができる光ディスク、例えばＣＤとＤＶＤが広く普及されて商用化されており、またＢＤ等のような高密度光ディスクの規格化作業が急速に進展するによって、関連製品が商用化されることと期待されている。
【０００３】
一方、前記のような光ディスクに記録されたデジタルビデオ及びオーディオデータのコンテンツ（Ｃｏｎｔｅｎｔｓ）を無断で不法複製することができないようにするために、複写防止情報により暗号化したＡ／Ｖデータを光ディスクのデータ領域に記録して、前記複写防止情報を光ディスクのリードイン領域等のような特定領域に記録して管理する方法が提案されているが、これに対して詳細に説明すると次のようである。
【０００４】
図１は一般的なＤＶＤの複写防止情報管理方法が適用される光ディスクドライブとアプリケーションに対する構成を示したものである。前記光ディスクドライブ２００には、認証部（Ａｕｔｈｅｎｔｉｃａｔｉｏｎ  Ｂｌｏｃｋ）２０、キー分配部（Ｋｅｙ  Ｓｈａｒｉｎｇ  Ｂｌｏｃｋ）２１、そして暗号化部（ＥｎｃｒｙｐｔｉｏｎＢｌｏｃｋ）２２、２３等で構成されることができる。
【０００５】
個人用コンピューター（ＰＣ）等のようなアプリケーション３００には、認証部３０、キー分配部３１、復号化部（Ｄｅｃｒｙｐｔｉｏｎ  Ｂｌｏｃｋ）３２、３３、ディスクランブル部（Ｄｅｓｃｒａｍｂｌｅ  Ｂｌｏｃｋ）３４、デコンプレッション部（Ｄｅｃｏｍｐｒｅｓｓｉｏｎ  Ｂｌｏｃｋ）３８、ディスクキー復号化部３６、そしてタイトルキー復号化部３７等で構成されることができる。
【０００６】
そして、前記光ディスクドライブ２００に挿入されるＤＶＤ  １００には、認証コントロールキー（Ａｕｔｈｅｎｔｉｃａｔｉｏｎ  Ｃｏｎｔｒｏｌ  Ｋｅｙ）、セキュアドディスクキー（Ｓｅｃｕｒｅｄ  Ｄｉｓｃ  Ｋｅｙ）、エンクリプティッドタイトルキー（Ｅｎｃｒｙｐｔｅｄ  Ｔｉｔｌｅ  Ｋｅｙ）、そしてスクランブルドＡ／Ｖデータ（Ｓｃｒａｍｂｌｅｄ  Ａ／Ｖ  Ｄａｔａ）が保存されることができる。
【０００７】
一方、前記光ディスクドライブの認証部２０では、前記ＤＶＤ  １００から読み出される認証コントロールキーを利用して、前記アプリケーションの認証部３０とのデータ送受信のための一連の認証過程を遂行するようになる。前記暗号化部２２、２３では、前記キー分配部２１から提供する所定の暗号化キーを利用して、前記ＤＶＤ  １００から読み出されるセキュアドディスクキーとエンクリプティッドタイトルキーをデータ送受信に適合なデータで再び暗号化して伝送するようになる。
【０００８】
そして、前記アプリケーションの復号化部３２、３３では、前記キー分配部３１から提供する所定の復号化キーを利用して、前記光ディスクドライブ２００から受信されるセキュアドディスクキーとエンクリプティッドタイトルキーを復号化する一連の動作を遂行するようになる。
【０００９】
一方、前記ディスクキーは前記アプリケーション３００内で管理されるマスターキー３５により復号化されて、前記タイトルキーは前記復号化されたディスクキーにより復号化されて、前記ディスクランブル部３４では、前記タイトルキーを利用して、ＤＶＤから読み出されるスクランブルドＡ／Ｖデータをディスクランブル処理するようになって、前記デコンプレッション部３８では、ディスクランブル処理されたＡ／Ｖデータを非圧縮処理して、本来のＡ／Ｖデータで出力するようになる。このような過程を介して、前記ＤＶＤにスクランブル処理されて記録されたオーディオ及びビデオデータのコンテンツが無断で不法複製されることを防止することができるようになる。
【００１０】
しかし、前記ＤＶＤに記録されたセキュアドディスクキーとエンクリプティッドタイトルキーのような複写防止情報がハッカー（Ｈａｃｋｅｒ）等のような第３者により不法的にハッキングされて流出される場合、前記ＤＶＤのデータ領域に暗号化して記録されたＡ／Ｖデータの不法複製が可能になる。したがって、複写防止情報の保安性をより強化させることができる効率的な解決方案の用意が急に要求されている実情である。
【発明の概要】
【００１１】
本発明は前記のような実情を勘案して創作されたものであって、本発明の目的は、複写防止情報の保安性をより強化して、複写防止情報の露出に対する危険負担を減らして、さらに安定して信じることができる複写防止方法を提供して、複写防止情報によりデコーディングされたデジタルプレーンデータ（Ｄｉｇｉｔａｌ  Ｐｌａｉｎ  Ｄａｔａ）が露出されないようにして、コンテンツの不法複写を防ぐのにある。
【００１２】
前記のような目的を達成するための本発明による記録媒体の複写防止情報管理方法は、記録媒体のデータ領域に暗号化して記録されたデータを復号化するための複写防止情報を第１特定領域に記録して；そして、前記複写防止情報を復号化するための第１キーを前記記録媒体の第２特定領域に記録することで構成されて、ここで、前記複写防止情報を復号化するための第２キーは記録媒体を再生するドライブまたはアプリケーション内で管理されることを特徴とする。
【００１３】
また、本発明による記録媒体は、複写防止情報により暗号化したデータが記録されたデータ領域と；前記複写防止情報が記録された第１特定領域；及び前記複写防止情報を復号化するための第１キーが記録される第２特定領域で構成されることを特徴とする。
【００１４】
また、本発明の他の実施形態による記録媒体の複写防止情報管理方法は、記録媒体の第２特定領域から読み出される第１キーと前記記録媒体を再生するドライブまたはアプリケーション内で管理される第２キーを利用して、前記記録媒体の第１特定領域に記録された複写防止情報を復号化する段階；及び前記復号化された複写防止情報を利用して、前記記録媒体のデータ領域に暗号化して記録されたデータを復号化する段階で構成されることを特徴とする。
【００１５】
また、本発明のまた他の実施形態による記録媒体の複写防止情報管理装置は、前記記録媒体の第１特定領域で読み出される複写防止情報を復号化するために必要な第２キーを生成する第２キー生成部；及び前記第２キーと前記記録媒体の第２特定領域で読み出される第１キーを利用して、前記複写防止情報を復号化する複写防止情報算出部を含んで構成されることを特徴とする。
【発明を実施するための最良の形態】
【００１６】
以下、本発明による記録媒体の複写防止情報管理方法に対する望ましい実施形態に対して、添付した図面を参照しながら詳細に説明する。
【００１７】
図２は本発明による記録媒体の複写防止情報管理方法が適用される光ディスクドライブに対する構成を示したものである。前記光ディスクドライブ５００には、復号化部（Ｄｅｃｒｙｐｔｉｏｎ  Ｂｌｏｃｋ）５０とキー計算部（Ｋｅｙ  Ｃａｌｃｕｌａｔｉｏｎ）５１が含まれて、本発明により新しく定義されたドライブキー（Ｄｒｉｖｅ  Ｋｅｙ）５２が管理されることができる。
【００１８】
また、前記光ディスクドライブ５００に挿入される光ディスク４００には、複写防止情報、例えば暗号化したディスクキー（Ｄｉｓｃ  Ｋｅｙ）がキーロッカー（Ｋｅｙ  Ｌｏｃｋｅｒ）内に記録されると共に、前記光ディスク４００の特定領域、例えば光ディスクのリードイン領域（Ｌｅａｄ−Ｉｎ  Ａｒｅａ）のＰｒｅ−ｒｅｃｏｒｄｅｄ（またはＥｍｂｏｓｓｅｄ）Ａｒｅａには前記ディスクキーを読み出すための第１キー値のヒドン・コード（Ｈｉｄｄｅｎ  Ｃｏｄｅ）がＰｒｅ−ｒｅｃｏｒｄｅｄ  ｔｙｐｅで記録される。
【００１９】
前記キーロッカー内に記録されたディスクキーは、前記第１キー値のヒドン・コードと前記光ディスクドライブ内で管理される第２キー値のドライブキーの組合により計算される有効なキー（Ｖａｌｉｄ  Ｋｅｙ）値により、読み出されて復号化される。したがって、複写防止情報の保安性が向上する。
【００２０】
また、前記光ディスクドライブのキー計算部５１は、図３に示したように、前記ヒドン・コードとドライブキーの組合によりキーロッカーを解除することができる有効なキーを計算する計算部（Ｃａｌｃｕｌａｔｉｏｎ）（未符号）と、前記計算された有効キーを利用して前記キーロッカー内に暗号化して記録されたディスクキーを復号化する復号化部（Ｄｅｃｒｙｐｔｉｏｎ）（未符号）で構成されることができる。
【００２１】
前記ドライブキー（Ｄｒｉｖｅ  Ｋｅｙ）は、光ディスクドライブによって相異なるキー値で管理されることができることであって、例えば光ディスクドライブを製造したメーカー別ＩＤ（Ｄｒｉｖｅ  Ｍａｋｅｒ_ＩＤ）にしたがって区分される固有のキー値で管理されることができる。
【００２２】
一方、前記光ディスクドライブ５００は、図４に示したように、保安認証チャネル（ＳＡＣ：Ｓｅｃｕｒｅ  Ａｕｔｈｅｎｔｉｃａｔｅｄ  Ｃｈａｎｎｅｌ）７０を介してデータを送受信するようになるアプリケーション６００、例えば個人用コンピューター等と連結されて使われることができる。前記アプリケーション６００には、前記保安認証チャネルを介して受信されたＡ／ＶデータをデコーディングするためのＡ／Ｖデコーダー６０が含まれる。
【００２３】
また、前記アプリケーション６００内にはアプリケーションキー６１が管理されて、前記光ディスクドライブ５００内にはアプリケーションキーモジュール５３が含まれることができる。この場合、前記アプリケーションキーモジュール５３では、前記アプリケーション内で管理されるアプリケーションキー６１を前記保安認証チャネル７０を介して受信した後、前記キー計算部５１に提供するようになる。
【００２４】
前記光ディスクドライブのキー計算部５１では、光ディスク４００から読み出される第１キー値のヒドン・コードと光ディスクドライブまたはアプリケーション内で管理される第２キー値のドライブキーまたはアプリケーションキーを組み合わせて、前記光ディスクに記録されたキーロッカー内のディスクキーを読み出して復号化するようになる。
【００２５】
そして、前記復号化部５０では、前記ディスクキーを利用して、光ディスクのデータ領域に暗号化して記録されたオーディオ及びビデオデータを復号化する一連の動作を遂行した後、前記保安認証チャネル（ＳＡＣ）７０を介してオーディオ及びビデオデータをアプリケーション６００で出力するようになる。
【００２６】
前記アプリケーションに含まれたＡ／Ｖデコーダー６０では、前記のような過程を介して受信されるオーディオ及びビデオデータをデコーディングしてオーディオ及びビデオで復元するようになる。このような過程を介して、光ディスクに記録されたオーディオ及びビデオデータが正常的に再生される。
【００２７】
一方、前記アプリケーション内に含まれるＡ／Ｖデコーダー６０は、図５に示したように、光ディスクドライブ５００内に含まれることができる。この場合、前記光ディスクドライブでは、前記保安認証チャネル７０を介して、アプリケーション６００でデコーディングが完了したオーディオ及びビデオデータを出力するようになるので、図４に示したように、オーディオ及びビデオのビットストリームをアプリケーションで直接伝送する場合に比べて、複写防止情報のハッキング危険性を減少させることができるようになる。
【００２８】
そして、前記のような場合、光ディスクドライブ５００内には、図５に示したように、アプリケーションキーモジュール５３ではないドライブキー５２が管理される。
【００２９】
参考に、前記ヒドン・コードは、光ディスク上に低周波成分を有する物理的なウォーブル（Ｗｏｂｂｌｅ）形状またはＷｏｂｂｌｅ  ｐｒｅ−ｐｉｔ  ｔｙｐｅ等で記録されて、ビット対ビット（Ｂｉｔ  ｔｏ  Ｂｉｔ）複写により不法複製されない。また、前記ドライブキー、キーロッカーに含まれるディスクキー等も前記ヒドン・コードのようにリードイン領域上に低周波成分を有する物理的なウォーブル形状またはＷｏｂｂｌｅ  ｐｒｅ−ｐｉｔ  ｔｙｐｅで記録されることができる。一方、前記ヒドン・コードとドライバーキーにより暗号化するキーロッカー内には、ディスクキーのような複写防止情報以外にも、多様な付加情報が暗号化して記録されることができる。
【００３０】
前記のように構成される本発明は、複写防止情報に対する保安性をさらに向上させて、複写防止情報の露出による危険負担を減らして、デコーディングされたデジタルデータが露出されないようにする効果がある。
【００３１】
以上前述した本発明の望ましい実施形態は例示の目的のために開示されたものであって、当業者ならば添付された特許請求範囲に開示された本発明の技術的思想とその技術的範囲内でまた他の多様な実施形態を改良、変更、代替または付加などが可能であることである。
【図面の簡単な説明】
【００３２】
【図１】一般的なＤＶＤの複写防止情報管理方法が適用される光ディスクドライブとアプリケーションに対する構成を示したものである。
【図２】本発明による記録媒体の複写防止情報管理方法が適用される光ディスクドライブに対する構成を示したものである。
【図３】本発明による記録媒体の複写防止情報管理方法が適用される光ディスクドライブに対する構成を示したものである。
【図４】本発明による記録媒体の複写防止情報管理方法が適用される光ディスクドライブとアプリケーションに対する他の実施形態の構成を示したものである。
【図５】本発明による記録媒体の複写防止情報管理方法が適用される光ディスクドライブとアプリケーションに対する他の実施形態の構成を示したものである。
【図１】
2006526244.tif 000003
【図２】
2006526244.tif 000004
【図３】
2006526244.tif 000005
【図４】
2006526244.tif 000006
【図５】
2006526244.tif 000007
【国際調査報告】
2006526244.tif 000008